(57)【要約】【課題】有線通信が可能な状態にあるときには、自動的に、無線通信を禁止して有線通信を無線通信に優先される可搬放射線画像検出装置と、前記可搬放射線画像検出装置を用いた放射線画像撮影システムを提供すること。【解決手段】可搬型放射線画像検出装置は、放射線画像データを有線で送信する第１通信手段、無線で送信する第２通信手段を備える第１制御手段を有し、撮影装置は、通信を有線で行う第２制御手段を有し、前記コンソールは、放射線画像データと撮影情報とを対応付ける第３制御手段を有し、前記第１制御手段は、通常は前記第２通信手段の作動を有効とし、前記可搬型放射線画像検出装置が前記撮影装置に装填されていることを認識したときは、前記第２通信手段の作動を禁止して前記第１通信手段の作動を有効とすることを特徴とする放射線画像撮影システム。【選択図】図１
2008154721.tif 000002
【特許請求の範囲】
【請求項１】
可搬型放射線画像検出装置、撮影装置、コンソールが通信ネットワークを介して通信を行う放射線画像撮影システムにおいて、
前記可搬型放射線画像検出装置は、
放射線を検知するセンサを２次元に並べた放射線検知部と、
前記放射線検知部による検知情報から得た放射線画像データを記憶する記憶手段、記憶された前記放射線画像データを有線で送信する第１通信手段、無線で送信する第２通信手段を備える第１制御手段と、
を有し、
前記撮影装置は、
Ｘ線照射手段と、
前記可搬型放射線画像検出装置が装填される可搬型放射線画像検出装置保持手段と、
装填された前記可搬型放射線画像検出装置、及び前記コンソールとの通信を有線で行う第２制御手段と、
を有し、
前記コンソールは、
前記可搬型放射線画像検出装置から無線又は有線で送られる放射線画像データと、予め記憶されている撮影情報とを対応付ける第３制御手段
を有し、
前記第１制御手段は、通常は前記第２通信手段の作動を有効とし、前記可搬型放射線画像検出装置が前記可搬型放射線画像検出装置保持手段に装填されていることを認識したときは、前記第２通信手段の作動を禁止して前記第１通信手段の作動を有効とするように制御することを特徴とする放射線画像撮影システム。
【請求項２】
前記可搬型放射線画像検出装置保持手段は、前記可搬型放射線画像検出装置が装填されたときに、前記第１制御手段を通信ネットワークに接続する通信接続手段を有することを特徴とする請求項１に記載の放射線画像撮影システム。
【請求項３】
前記第１制御手段は、前記コンソールへの放射線画像データの転送が終了したときに、転送が終了した該放射線画像データを前記記憶手段から消去することを特徴とする請求項１又は２に記載の放射線画像撮影システム。
【請求項４】
前記第１制御手段は、放射線画像データが前記記憶手段に記録されていない場合には、前記第２通信手段の作動を禁止することを特徴とする請求項３に記載の放射線画像撮影システム。
【請求項５】
請求項１〜４のいずれか１項に記載の放射線画像撮影システムに使用される可搬型放射線画像検出装置であって、
内蔵するバッテリー電源から電源供給を受ける第１受電手段と、
前記撮影装置から電源供給を受ける第２受電手段と、
を有し、
前記第１制御手段は、前記可搬型放射線画像検出装置が前記可搬型放射線画像検出装置保持手段に装填されたことを検知したときに、前記第２受電手段を選択することを特徴とする
可搬型放射線画像検出装置。
【発明の詳細な説明】
【技術分野】
【０００１】
本発明は、可搬型放射線画像検出装置を用いた放射線画像撮影システムに関する。
【背景技術】
【０００２】
現在、多くの病院において、放射線センサを２次元に配置したセンサである通称ＦＰＤ（Ｆｌａｔ  Ｐａｎｅｌ  Ｄｅｔｅｃｔｏｒ）と呼ばれる放射線画像撮影センサをカセッテに収容した可搬型放射線画像検出装置が、放射線画像診断に用いられている。
【０００３】
この可搬型放射線画像検出装置の内部には、前記放射線画像撮影センサ以外に、撮影した画像を記憶したり、記憶した画像の転送制御を行う制御手段が収められている。
【０００４】
このような可搬型放射線画像検出装置を用いた放射線画像撮影システムは、通常、コンソール、撮影装置、上述した可搬型放射線画像検出装置とを通信ネットワークで結ぶことにより、互いの情報交換ができるように構成される。
【０００５】
コンソールとは、表示手段、入力手段及び通信手段を有する装置であり、一般に撮影情報と称される患者に関わる情報や撮影に関わる情報を入力したり、撮影後に送られてきた放射線画像データを、予め入力されている撮影情報と関連づけ、画像を確認する装置である。
【０００６】
撮影装置とは、可搬型放射線画像検出装置を所定の保持手段に装填して、放射線発生装置によって患者の所定の部位を照射して放射線画像を得る装置であり、前記コンソールとは通信ネットワークを介して有線で通信を行うことができる。
【０００７】
上述した放射線画像撮影システムにおいては、可搬型放射線画像検出装置から撮影により得た放射線画像データの転送を無線通信で行う場合もある（例えば、特許文献１参照。）。
【０００８】
しかしながら、患者が心臓にペースメーカを装着している場合には、無線通信による電波がペースメーカの作動に影響するかもしれないという危惧が生ずる。
【０００９】
この危惧を払拭するために、患者がペースメーカ装着者であることが判っている場合には、コンソールから可搬型放射線画像検出装置に、ペースメーカ装着者である旨の情報を送ることにより、該可搬型放射線画像検出装置の無線通信を停止させるという提案もある（例えば、特許文献２参照。）。
【００１０】
ところが、放射線画像データをなるべく早く可搬型放射線画像検出装置からコンソールに送り、コンソールが置かれている場所に到着次第、画像の判定作業に入りたいという撮影技師の要求も高い。
【特許文献１】特開２００３−２１０４４４号公報
【特許文献２】特開２００６−８１７２９号公報
【発明の開示】
【発明が解決しようとする課題】
【００１１】
本発明は、上述したような状況に鑑みてなされたもので、その目的は、無線及び有線による通信手段を有する可搬放射線画像検出装置であって、有線通信が可能な状態にあるときには、自動的に、無線通信を禁止して有線通信を無線通信に優先される可搬放射線画像検出装置と、前記可搬放射線画像検出装置を用いた放射線画像撮影システムを提供することにある。
【課題を解決するための手段】
【００１２】
上記課題は、以下の発明を実現することにより達成される。
１．可搬型放射線画像検出装置、撮影装置、コンソールが通信ネットワークを介して通信を行う放射線画像撮影システムにおいて、
前記可搬型放射線画像検出装置は、
放射線を検知するセンサを２次元に並べた放射線検知部と、
前記放射線検知部による検知情報から得た放射線画像データを記憶する記憶手段、記憶された前記放射線画像データを有線で送信する第１通信手段、無線で送信する第２通信手段を備える第１制御手段と、
を有し、
前記撮影装置は、
Ｘ線照射手段と、
前記可搬型放射線画像検出装置が装填される可搬型放射線画像検出装置保持手段と、
装填された前記可搬型放射線画像検出装置、及び前記コンソールとの通信を有線で行う第２制御手段と、
を有し、
前記コンソールは、
前記可搬型放射線画像検出装置から無線又は有線で送られる放射線画像データと、予め記憶されている撮影情報とを対応付ける第３制御手段
を有し、
前記第１制御手段は、通常は前記第２通信手段の作動を有効とし、前記可搬型放射線画像検出装置が前記可搬型放射線画像検出装置保持手段に装填されていることを認識したときは、前記第２通信手段の作動を禁止して前記第１通信手段の作動を有効とするように制御することを特徴とする放射線画像撮影システム。
２．前記可搬型放射線画像検出装置保持手段は、前記可搬型放射線画像検出装置が装填されたときに、前記第１制御手段を通信ネットワークに接続する通信接続手段を有することを特徴とする１項に記載の放射線画像撮影システム。
３．前記第１制御手段は、前記コンソールへの放射線画像データの転送が終了したときに、転送が終了した該放射線画像データを前記記憶手段から消去することを特徴とする１又は２項に記載の放射線画像撮影システム。
４．前記第１制御手段は、放射線画像データが前記記憶手段に記録されていない場合には、前記第２通信手段の作動を禁止することを特徴とする３項に記載の放射線画像撮影システム。
５．１〜４項のいずれか１項に記載の放射線画像撮影システムに使用される可搬型放射線画像検出装置であって、
内蔵するバッテリー電源から電源供給を受ける第１受電手段と、
前記撮影装置から電源供給を受ける第２受電手段と、
を有し、
前記第１制御手段は、前記可搬型放射線画像検出装置が前記可搬型放射線画像検出装置保持手段に装填されたことを検知したときに、前記第２受電手段を選択することを特徴とする
可搬型放射線画像検出装置。
【発明の効果】
【００１３】
本発明により、撮影装置に可搬型放射線画像検出装置を装填して撮影を行うことにより得た放射線画像データは、自動的に有線通信でコンソールに送られると共に、無線通信が禁止されるので、ペースメーカを有する患者に与える可能性のある電波による障害が未然に防止される。また、可搬型放射線画像検出装置からコンソールへの放射線画像データの送信が迅速に行われるので、撮影技師は撮影した画像の確認作業を早期に開始することができる。
【００１４】
更に、撮影技師は、本発明の撮影装置が設置された撮影室においては、データ通信の態様によっては影響の受ける可能性がある患者のペースメーカ装着有無を確認する必要がなく、最適画像の撮影に専念できる。
【発明を実施するための最良の形態】
【００１５】
以下、本発明の実施の形態を、図を基にして説明する。
【００１６】
図１は、放射線画像撮影システムを示すブロック図である。
【００１７】
図２は、放射線画像撮影システムの制御関係を示すブロック図である。
【００１８】
図３は、可搬型放射線画像検出装置の概念図である。
【００１９】
放射線画像撮影システムは、可搬型放射線画像検出装置１０、撮影装置２０、３０、コンソール４０、通信ネットワーク５０等から構成される。
【００２０】
可搬型放射線画像検出装置１０は、放射線検知部１１、第１制御手段Ｃ１、第１受電手段１５、第２受電手段１６等を可搬型の収容ケースであるカセッテＫに収納した装置である。
【００２１】
カセッテＫの外面には複数のボタンと表示装置からなる操作表示手段１２と、持ち運びや装填操作に使用される把手１３が設けられている。
【００２２】
前記可搬型放射線画像検出装置１０は、撮影装置２０、３０に設けられている可搬型放射線画像検出装置保持手段２１、３１に装填され、撮影に供される。
【００２３】
また、前記可搬型放射線画像検出装置１０は、ＣＰＵ、メモリＭ１、有線通信手段１０１（第１通信手段）、無線通信手段２０１（第２通信手段）を有するコンピュータシステムである第１制御手段Ｃ１を備えている。
【００２４】
第１制御手段Ｃ１は、メモリＭ１に格納されているプログラムを実行させることにより記録した放射線画像データを前記有線通信手段１０１、又は無線通信手段２０１を介して、他の装置に送るデータ転送をはじめ、各種の制御を行う。
【００２５】
上述した可搬型放射線画像検出装置１０は、特開２０００−３４７３３０号公報に記載されているような公知の技術から構成されるものである。
【００２６】
なお、本発明の前記可搬型放射線画像検出装置１０は、内部に設けられた第１受電手段１５を介してバッテリーから電力供給を受けることもできるし、第２受電手段１６を介して外部の電源から電力供給を受けることもできる。
【００２７】
撮影装置２０、３０は、放射線照射手段２２、３２から照射され、患者Ｐを透過した放射線を、可搬型放射線画像検出装置保持手段２１、３１に装填されている前記可搬型放射線画像検出装置１０に記録させる装置である。
【００２８】
放射線画像撮影は、図に示す様に予め患者Ｐの撮影姿勢を決めることが可能な立位撮影装置２０、臥位撮影装置３０を撮影室に設置して行う撮影以外に、撮影室外で、例えば、移動困難な患者のベッド周辺で、移動型のＸ線照射装置と前記可搬型放射線画像検出装置１０を用いた撮影を行うこともできる。
【００２９】
なお、後者の撮影の場合には、可搬型放射線画像検出装置１０からのデータ通信には無線通信方式が用いられる。
【００３０】
撮影室に設置されている撮影装置２０、３０は、ＣＰＵ、メモリＭ２、有線通信手段１０２を有するコンピュータシステムである第２制御手段Ｃ２を備えている。
【００３１】
第２制御手段Ｃ２は、有線通信手段１０２を介して通信ネットワーク５０に接続され、可搬型放射線画像検出装置保持手段２１、３１に装填された可搬型放射線画像検出装置１０やコンソール４０等の通信ネットワーク５０に接続される機器との通信ができる。
【００３２】
また、前記可搬型放射線画像検出装置保持手段２１、３１は、前記可搬型放射線画像検出装置１０が装填されたときに、前記第２受電手段１６に接続され、電力供給を行う電力供給手段（不図示）、及び前記有線通信手段（第１通信手段）と通信ネットワークとを接続する通信接続手段（不図示）を有する。
【００３３】
コンソールは、患者に関する情報、撮影情報を入力し、撮影により得られた放射線画像データをこれらの情報に対応付け、記録すると共に、表示手段で画像を確認する装置である。
【００３４】
また、コンソールが備える第３制御手段Ｃ３は、ＣＰＵ、メモリＭ３、有線通信手段３０１、無線通信手段３０２を有するコンピュータシステムであり、前記有線通信手段３０１、又は無線通信手段３０２を介して、他の装置との情報交換ができる。
【００３５】
図４は、可搬型放射線画像検出装置１０を用いた撮影の流れを示すフローチャートである。
【００３６】
先ず、撮影技師は、コンソール４０に、撮影情報、例えば、患者の個人情報、撮影部位、方向等の撮影に関する情報を入力する（ステップＳ１）。
【００３７】
次いで、撮影技師は、所定の場所に載置されている可搬型放射線画像検出装置１０を取り出し、これを撮影室に設置されている撮影装置２０、３０の可搬型放射線画像検出装置保持手段２１、３１に装填する（ステップＳ２）。
【００３８】
可搬型放射線画像検出装置１０が撮影装置２０、３０の可搬型放射線画像検出装置保持手段２１、３１に装填されると、可搬型放射線画像検出装置１０が備える第２受電手段であるプラグが、可搬型放射線画像検出装置保持手段２１、３１に備えられた電力供給手段のコンセントに自動的に挿入される。
【００３９】
可搬型放射線画像検出装置１０の制御手段Ｃ１は、第２受電手段１６に予め設定されている電位がかけられたことを検知すると、可搬型放射線画像検出装置１０が内部に備えているバッテリー電源から電力供給を受ける第１受電手段１５からの受電を停止させ、第２受電手段１６からの受電を開始させる（ステップＳ３）。
【００４０】
また、可搬型放射線画像検出装置１０が、撮影装置２０、３０の可搬型放射線画像検出装置保持手段２１、３１から取り外された場合には、第２受電手段１６に予め設定されている電位がかからなくなったことを検知して、再び第１受電手段１５からの受電を開始させる。
【００４１】
なお、このような受電手段の切替は、公知の技術により実現されるものである。
【００４２】
第１制御手段Ｃ１は、第２受電手段から受電が開始されると、可搬型放射線画像検出装置１０が撮影装置２０、３０の可搬型放射線画像検出装置保持手段２１、３１に装填されたことを認識して、コンソール４０と無線で情報の送受を行う第２通信手段の作動を禁止する（ステップＳ４）。
【００４３】
従って、可搬型放射線画像検出装置１０から通信用の電波が発信される恐れは無くなる。
【００４４】
患者Ｐ，撮影装置２０、３０の撮影準備が完了すると（ステップＳ５：Ｙ、）、撮影が開始され（ステップＳ６）、撮影が完了すると（ステップＳ７：Ｙ）、制御手段Ｃ１はメモリＭ１に記録された放射線画像データを、通信ネットワーク５０に接続されている有線で通信を行う第１通信手段１０１を介してコンソール４０の制御手段Ｃ３に転送する（ステップＳ８）。
【００４５】
なお、第１通信手段１０１の通信ネットワーク５０への接続は、可搬型放射線画像検出装置１０が撮影装置２０、３０の可搬型放射線画像検出装置保持手段２１、３１に装填されると、可搬型放射線画像検出装置１０が備える通信用のコネクタが、可搬型放射線画像検出装置保持手段２１、３１に備えられた通信接続手段である通信用コネクタと自動的に接続されることにより実現される。
【００４６】
制御手段Ｃ１は、放射線画像データの転送が正しく行われたことを確認すると（ステップＳ９）、メモリＭ１に記録された放射線画像データを消去して（ステップＳ１０）、操作表示手段１２に、可搬型放射線画像検出装置１０の可搬型放射線画像検出装置保持手段２１、３１からの取り外しを許可するランプを点灯させる。
【００４７】
撮影技師は、可搬型放射線画像検出装置１０を撮影装置２０、３０から取り外して（ステップＳ１１）、所定の場所に載置し、コンソール４０にて、転送された放射線画像データに基づく撮影画像の確認を行う（ステップＳ１２）。
【００４８】
なお、コンソール４０に転送された放射線画像データには、撮影装置２０、３０にて入力された患者Ｐの個人情報を含む撮影情報が添付されているので、コンソール４０の制御手段Ｃ３は、予め入力されている撮影情報との対応を取った後、送られた放射線画像データを所定のファイルに保存する。
【００４９】
図５は、可搬型放射線画像検出装置１０の無線通信許可処理の流れを示すフローチャートである。
【００５０】
放射線画像データを無線通信手段２０１を介して行う指示入力が操作表示手段１２からなされると（ステップＳ２１）、バッテリーから電力供給を受ける第１受電手段が選択されているか否かが判定される（ステップＳ２２）。
【００５１】
もし、選択されていなければ（ステップＳ２２：Ｎ）、第２通信手段２０１による無線通信は禁止される（ステップＳ２５）。
【００５２】
もし、選択されていた場合には（ステップＳ２２：Ｙ）、メモリＭ１に転送する放射線画像データが存在するか否かが判定され（ステップＳ２３）、データが存在しない場合には（ステップＳ２３：Ｎ）、無線通信が禁止される（ステップＳ２５）。
【００５３】
データが存在した場合には（ステップＳ２３：Ｙ）、無線通信を許可して（ステップＳ２４）、ルーチンを出る。
【００５４】
以上説明したシステムにより、撮影室で使用される可搬型放射線画像検出装置１０から無線によるデータ転送が自動的に禁止されるので、ペースメーカをはじめとする電波の影響を受ける装置を有する患者Ｐの安全性が保持される。
【００５５】
また、撮影技師が誤って無線通信を指示する入力を行った場合にも、自動的に無線通信が禁止され安全性が保たれる。
【図面の簡単な説明】
【００５６】
【図１】放射線画像撮影システムを示すブロック図である。
【図２】放射線画像撮影システムの制御関係を示すブロック図である。
【図３】可搬型放射線画像検出装置の概念図である。
【図４】撮影の流れを示すフローチャートである。
【図５】無線通信許可処理の流れを示すフローチャートである。
【符号の説明】
【００５７】
１０  可搬型放射線画像検出装置
１５  第１受電手段
１６  第２受電手段
２０、３０  撮影装置（立位撮影装置、臥位撮影装置）
２１、３１  可搬型放射線画像検出装置保持手段
４０  コンソール
５０  通信ネットワーク
１０１  第１通信手段（有線通信手段）
２０１  第２通信手段（無線通信手段）
Ｃ１  第１制御手段（可搬型放射線画像検出装置）
Ｃ２  第２制御手段（撮影装置）
Ｃ３  第３制御手段（コンソール）
Ｋ  カセッテ
Ｐ  患者
【図１】
2008154721.tif 000003
【図２】
2008154721.tif 000004
【図３】
2008154721.tif 000005
【図４】
2008154721.tif 000006
【図５】
2008154721.tif 000007